(57)【要約】【課題】  開口を開放させる際のインナロータの回転動作をスムーズにし、また、組立て作業性の良いディスクカートリッジを得る。【解決手段】  上シェル２４の第１ストッパ３８の先端面に、接着剤を介して直方体状のポリウレタン発泡部材１０４を固着している。ロック部材２２のロック状態において、閉塞側ストッパ体８０の段部８０Ｂによって、ポリウレタン発泡部材１０４は押圧され、ポリウレタン発泡部材１０４には弾性力が蓄積される。この状態で、ロック部材２２のロック状態を解除すると、ポリウレタン発泡部材１０４が復元し、閉塞側ストッパ体８０を介して、インナロータ２０を開口１６が開放する方向へ付勢し、インナロータ２０を開口１６を開放させる方向へ回転させる。このように、開口１６を開放させる際に、ポリウレタン発泡部材１０４の弾性力によってインナロータ２０を付勢することで、開口１６を開放させる際のインナロータ２０の回転動作をスムーズにすることができる。【選択図】        図９
2005129111.tif 000002
【特許請求の範囲】
【請求項１】
ドライブ装置に装填され、レーザ光で情報が記録再生されるディスクメディアと、
前記ディスクメディアを回転自在に収納するケースと、
前記ケースに形成され、レーザ光を前記ディスクメディアの記録面へ投光可能とする第１開口部と、
前記ケース内に回転可能に収容され、前記第１開口部と略同一の大きさの第２開口部が形成されたインナロータと、
前記インナロータへ軸で揺動可能に支持され、前記第１開口部及び前記第２開口部を開閉するシャッターと、
前記第１開口部及び前記第２開口部が閉塞された状態で前記インナロータと当接して弾性力を蓄積し、第１開口部及び第２開口部を開放する方向へ前記インナロータを付勢する付勢手段と、
前記第１開口部及び前記第２開口部が閉塞された状態で前記インナロータをロックするロック手段と、
を有することを特徴とするディスクカートリッジ。
【請求項２】
前記ロック手段のロック状態を解除し、前記第１開口部及び前記第２開口部が開放される瞬間のみ、前記インナロータが付勢されることを特徴とする請求項１に記載のディスクカートリッジ。
【請求項３】
前記付勢手段が前記ケースの周壁に形成されたストッパーに設けられ、前記インナロータの外周面から突設された突起部が前記付勢手段に当接することを特徴とする請求項１又は２に記載のディスクカートリッジ。
【請求項４】
前記付勢手段が弾性体であることを特徴とする請求項１〜３の何れかに記載のディスクカートリッジ。
【請求項５】
前記弾性体が接着剤又は両面テープで取り付けられたことを特徴とする請求項４に記載のディスクカートリッジ。
【請求項６】
前記ストッパーに前記弾性体が嵌合可能な凹部が凹設され、前記弾性体が前記凹部内へ嵌め込まれたことを特徴とする請求項４に記載のディスクカートリッジ。
【請求項７】
前記弾性体がポリウレタン発泡部材、ゴム部材、スプリング部材の何れかであることを特徴とする請求項４〜６の何れかに記載のディスクカートリッジ。
【請求項８】
前記スプリング部材が、
前記ストッパーに設けられた収容部に配設され、一端部が前記収容部の奥壁に当接されたコイルスプリングと、
前記コイルスプリングの他端部に設けられ、前記収容部から抜け止めされた状態で先端部が露出し、前記先端部に前記インナロータの突起部が当接可能なピンと、
で構成されたことを特徴とする請求項７に記載のディスクカートリッジ。
【発明の詳細な説明】
【技術分野】
【０００１】
本発明は、ドライブ装置に装填され、情報が記録再生されるディスクメディアが収納されたディスクカートリッジに関するものである。
【背景技術】
【０００２】
ディスクメディアは、記録又は再生を行う際には、ドライブ装置に装填された状態で回転し、光学ピックアップに備えられたレンズによってレーザー光が記録面へ照射されることで、記録面の色素層分解によるピット形成や相変化、磁化等によって情報の記録がなされ、又はレーザー光の反射率や偏光角の相違に基づいて記録された情報の再生が行われるようになっている。
【０００３】
近年、ディスクメディアの高密度化に伴い、ディスクメディアを塵埃から守るためケースを用い、ディスクメディアをケース内に収容可能としている。このケースには第１開口部が切り欠かれており、ケース内に収容されケースに対してスライド可能に設けられた一対のシャッターによって第１開口部を開閉可能としている。このように、シャッターによって第１開口部を開放することで、光ディスクの一部が露出可能となる。
【０００４】
ここで、シャッターを外側から簡単に開くことができないようにするため、ケース内にインナロータを回転自在に収容し、このインナロータの回転に連動してシャッターを開閉させるようにしたディスクカートリッジが提案されている。
【０００５】
具体的には、インナロータに第１開口部と略同一の大きさの第２開口部を形成すると共に、シャッターを軸でインナロータへ揺動可能に支持させ、シャッターが第２開口部を開閉可能となるようにしている。
【０００６】
一方、下シェルにはガイド突起が突設しており、このガイド突起が係合可能なカム穴がシャッターに形成されている。そして、インナロータが回転すると、インナロータに連動してシャッターが回転すると共に、ガイド突起を基準にしてカム穴を介してシャッターが軸を中心にインナロータに対して揺動し、第１開口部及び第２開口部を開閉する。
【０００７】
ここで、動摩擦係数と比較して静摩擦係数は大きいため、インナロータが回転する際、その初動において、回転動作が不安定となる。このため、特許文献１では、図１６に示すように、円弧状ガイド壁部２００を介して第１シャッター部材２０２（インナロータに相当）を、コイルばね２０４によって、張出部２００Ｂを先頭にして円筒壁２１６に沿って回動する方向に常時付勢している。
【０００８】
そして、ディスクカートリッジ２０８をドライブ装置に装填すると、図示しないドライブ装置の案内凸部がシャッター係合部２１０に係合し、シャッター係合部２１０が後方に移動して、円弧状ガイド壁部２００が、コイルばね２０４の付勢力に抗して（コイルばね２０４に弾性力が蓄積される）、シャッター引出部２１４を介して円筒壁２１６に沿って摺動し、シャッター本体２１２が開口２１８の開放方向へ回動する。
【０００９】
一方、ドライブ装置からディスクカートリッジ２０８を排出する際には、第１シャッター部材２０２は、外部から（案内凸部によって）作用する移動力（引張力又は押圧力）が排除されるため、円筒壁２１６に沿って短縮したコイルばね２０４の周方向の付勢力によって、円弧状ガイド壁部２００が円筒壁２１６に沿って移動し、シャッター本体２１２が開口２１８の閉塞方向へ回動する。
【００１０】
このように、円弧状ガイド壁部２００をコイルばね２０４によって付勢させることで、簡単な構造で、回動軸を備えない第１シャッター部材２０２に、円筒壁２１６の周方向に沿った付勢力を好適に作用させ、第１シャッター部材２０２を確実に作動させるようにしている。
【特許文献１】特開２００３−３０９４８号公報
【発明の開示】
【発明が解決しようとする課題】
【００１１】
しかしながら、特許文献１の場合、コイルばね２０４は、円弧状ガイド壁部２００を開口２１８の閉塞方向へ付勢しているため、開口２１８を開放させるためには、円弧状ガイド壁部２００を、コイルばね２０４の付勢力に抗して移動させなければならない。
【００１２】
このため、円弧状ガイド壁部２００を移動させるためには、円弧状ガイド壁部２００の移動量に比例して徐々に大きな力が必要となってしまい、開口２１８を開放させる際、円弧状ガイド壁部２００をスムーズに回転させることができない。
【００１３】
また、コイルばね２０４は、円弧状ガイド壁部２００を常時付勢しなければならないため、円弧状ガイド壁部２００の移動量を考慮すると、円弧状ガイド壁部２００の移動分の長さが必要となってしまうが、長いコイルばね２０４の場合、互いに絡みやすく、組立て作業性が悪くなってしまう。
【００１４】
本発明は上記事実を考慮し、開口を開放させる際のインナロータの回転動作をスムーズにし、また、組立て作業性の良いディスクカートリッジを得ることを目的としている。
【課題を解決するための手段】
【００１５】
請求項１に記載の発明は、ドライブ装置に装填され、レーザ光で情報が記録再生されるディスクメディアと、前記ディスクメディアを回転自在に収納するケースと、前記ケースに形成され、レーザ光を前記ディスクメディアの記録面へ投光可能とする第１開口部と、前記ケース内に回転可能に収容され、前記第１開口部と略同一の大きさの第２開口部が形成されたインナロータと、前記インナロータへ軸で揺動可能に支持され、前記第１開口部及び前記第２開口部を開閉するシャッターと、第１開口部及び前記第２開口部が閉塞された状態で弾性力が蓄積され、前記第１開口部及び前記第２開口部が閉塞された状態で前記インナロータと当接して弾性力を蓄積し、第１開口部及び第２開口部を開放する方向へ前記インナロータを付勢する付勢手段と、前記第１開口部及び前記第２開口部が閉塞された状態で前記インナロータをロックするロック手段と、を有することを特徴としている。
【００１６】
請求項１に記載の発明では、ドライブ装置に装填されレーザ光で情報が記録再生されるディスクメディアを回転自在にケース内に収納している。このケースには第１開口部が形成されており、レーザ光をディスクメディアの記録面へ投光可能としている。
【００１７】
また、ケース内には第１開口部と略同一の大きさの第２開口部が形成されたインナロータが回転可能に収容されている。このインナロータには、シャッターが軸で揺動可能に支持されており、第１開口部及び第２開口部を開閉する。
【００１８】
ここで、ロック手段によって、第１開口部及び第２開口部が閉塞された状態でインナロータがロックされる。この状態でインナロータと当接して弾性力を蓄積する付勢手段を設けており、第１開口部及び第２開口部が開放する方向へインナロータを付勢している。
【００１９】
このため、ロック手段のロック状態（第１開口部及び第２開口部が閉塞された状態）を解除すると、蓄積された弾性力が復元し、インナロータを第１開口部及び第２開口部が開放する方向へ付勢する。これにより、インナロータが第１開口部及び第２開口部を開放させる方向へ回転する。
【００２０】
このように、第１開口部及び第２開口部を開放させる際に、付勢手段の弾性力によってインナロータを付勢することで、第１開口部及び第２開口部を開放させる際のインナロータの回転動作をスムーズにすることができる。
【００２１】
請求項２に記載の発明は、請求項１に記載のディスクカートリッジにおいて、前記ロック手段のロック状態を解除し、前記第１開口部及び前記第２開口部が開放される瞬間のみ、前記インナロータが付勢されることを特徴としている。
【００２２】
請求項２に記載の発明では、第１開口部及び第２開口部が開放されるしゅんかんのみインナロータを付勢している。
【００２３】
動摩擦係数と比較して静摩擦係数は大きいため、インナロータが回転する際、その初動において、回転動作が不安定となるが、付勢手段によって、第１開口部及び第２開口部が開放される瞬間に、第１開口部及び第２開口部が開放する方向へインナロータを付勢することで、第１開口部及び第２開口部を開放させる際に、インナロータの回転動作を安定させ、インナロータをスムーズに回転させることができる。
【００２４】
また、第１開口部及び第２開口部が開放される瞬間のみインナロータを付勢するようにすることで、付勢手段をインナロータの移動に追従させなくても良くなるため、例えば、付勢手段をコイルスプリングとした場合でも、インナロータの移動量に合わせて長いコイルスプリングを用いる必要はなくなる。このため、長いコイルスプリングを用いた場合と比較して組立て作業性は良くなる。
【００２５】
また、付勢手段には、第１開口部及び第２開口部が開放される瞬間のみインナロータを付勢するのに十分な弾性力が蓄積できれば良いため、付勢手段を小さくすることができる。
【００２６】
請求項３に記載の発明は、請求項１又は２に記載のディスクカートリッジにおいて、前記付勢手段が前記ケースの周壁に形成されたストッパーに設けられ、前記インナロータの外周面から突設された突起部が前記付勢手段に当接することを特徴としている。
【００２７】
請求項３に記載の発明では、付勢手段をケースの周壁に形成されたストッパーに設けており、インナロータの外周面から突設された突起部をこの付勢手段に当接させ、ロック手段によりインナロータがロックされた状態で、付勢手段には弾性力が蓄積される。
【００２８】
請求項４に記載の発明は、請求項１〜３の何れかに記載のディスクカートリッジにおいて、前記付勢手段が弾性体であることを特徴としている。
【００２９】
請求項５に記載の発明は、請求項４に記載のディスクカートリッジにおいて、前記弾性体が接着剤又は両面テープで取り付けられたことを特徴としている。請求項５に記載の発明では、弾性体を接着剤又は両面テープで取り付けることで、弾性体をストッパーに固定させることができる。
【００３０】
請求項６に記載の発明は、請求項４に記載のディスクカートリッジにおいて、前記ストッパーに前記弾性体が嵌合可能な凹部が凹設され、前記弾性体が前記凹部内へ嵌め込まれたことを特徴としている。
【００３１】
請求項６に記載の発明では、ストッパーに弾性体が嵌合可能な凹部を凹設し、弾性体を凹部内へ嵌め込むことで、接着剤又は両面テープ等を用いることなく、弾性体を容易にストッパーに取り付けることができるようにしている。
【００３２】
請求項７に記載の発明は、請求項４〜６の何れかに記載のディスクカートリッジにおいて、前記弾性体がポリウレタン発泡部材、ゴム部材、スプリング部材の何れかであることを特徴としている。
【００３３】
請求項８に記載の発明は、請求項７に記載のディスクカートリッジにおいて、前記スプリング部材が、前記ストッパーに設けられた収容部に配設され、一端部が前記収容部の奥壁に当接されたコイルスプリングと、前記コイルスプリングの他端部に設けられ、前記収容部から抜け止めされた状態で先端部が露出し、前記先端部に前記インナロータの突起部が当接可能なピンと、で構成されたことを特徴としている。
【００３４】
請求項８に記載の発明では、スプリング部材をコイルスプリングとピンとで構成し、ストッパーに設けられた収容部にコイルスプリングを配設している。このコイルスプリングの一端部を収容部の奥壁に当接させ、コイルスプリングの他端部にはピンを設けている。収容部から抜け止めされた状態でピンの先端部を収容部から露出させ、先端部にインナロータの突起部を当接可能とする。
【００３５】
インナロータの突起部がピンに当接し、ロック手段によるロック状態で、コイルスプリングが縮みコイルスプリングには弾性力が蓄積され、該ロック状態を解除するとコイルスプリングが復元し、ピン及び突起部を介して、第１開口部及び第２開口部を開放させる方向へインナロータを付勢する。
【発明の効果】
【００３６】
本発明は、上記構成としたので、請求項１、３、４、７及び８に記載の発明では、ロック手段のロック状態（第１開口部及び第２開口部が閉塞された状態）を解除すると、蓄積された弾性力が復元し、インナロータを第１開口部及び第２開口部が開放する方向へ付勢するようにすることで、インナロータが第１開口部及び第２開口部を開放させる方向へ回転する。このように、第１開口部及び第２開口部を開放させる際に、付勢手段の弾性力によってインナロータを付勢することで、第１開口部及び第２開口部を開放させる際のインナロータの回転動作をスムーズにすることができる。
【００３７】
請求項２に記載の発明では、第１開口部及び第２開口部が開放される瞬間のみインナロータを付勢するようにすることで、付勢手段をインナロータの移動に追従させなくても良くなるため、例えば、付勢手段をコイルスプリングとした場合でも、インナロータの移動量に合わせて長いコイルスプリングを用いる必要はなくなる。このため、長いコイルスプリングを用いた場合と比較して組立て作業性は良くなる。また、付勢手段には、第１開口部及び第２開口部が開放される瞬間のみインナロータを付勢するのに十分な弾性力が蓄積できれば良いため、付勢手段を小さくすることができる。
【００３８】
請求項５に記載の発明では、弾性体を接着剤又は両面テープで取り付けることで、弾性体をストッパーに固定させることができる。
【００３９】
請求項６に記載の発明では、ストッパーに弾性体が嵌合可能な凹部を凹設し、弾性体を凹部内へ嵌め込むことで、接着剤又は両面テープ等を用いることなく、弾性体を容易にストッパーに取り付けることができるようにしている。
【発明を実施するための最良の形態】
【００４０】
本発明の実施の形態に係るディスクカートリッジ１０について、図１乃至図１０に基づいて説明する。なお、各図に適宜示す矢印Ａは、ディスクカートリッジ１０のドライブ装置への装填方向を示しており、便宜上、ドライブ装置への装填方向である矢印Ａにて示す側を前側として説明する。また、矢印Ｂにて示す方向を上側、矢印Ｃにて示す方向を右側とする。
【００４１】
図１には、ディスクカートリッジ１０の外観形状が斜視図にて示されており、図２にはディスクカートリッジ１０が分解斜視図にて示されている。これらの図に示される如く、ディスクカートリッジ１０は、円盤状に形成された情報記録再生媒体としてのディスクメディア１２と、上シェル２４と下シェル２６とで構成されディスクメディア１２を回転可能に収容するケース１４と、ディスクメディア１２へアクセスするため下シェル２６に形成された開口１６を開閉可能な一対のシャッター部材１８と、ドライブ装置に回動操作されてシャッター部材１８を駆動し開口１６を開閉させるインナロータ２０と、ディスクメディア１２の不使用時にインナロータ２０の回動を阻止し開口１６の閉塞状態を維持するためのロック部材２２と、を主要構成要素として構成されている。
【００４２】
以下、この順にディスクカートリッジ１０の概略全体構成を説明し、次いで、本発明の要部について詳細構造を説明する。
【００４３】
（ディスクカートリッジの全体構成）
図２に示される如く、ディスクメディア１２は、その軸心部に図示しないディスクドライブ装置の回転スピンドル軸に係合保持されるセンタ孔１２Ａを有すると共に、その下面に形成された記録面１２Ｂがカバー層（何れも図示省略）にて被覆保護されている。
【００４４】
記録面１２Ｂは、ディスクメディア１２の下面における外周近傍及びセンタ孔１２Ａ周りの所定範囲を除く部分に環状に形成されており、ディスクメディア１２の下面におけるセンタ孔１２Ａと記録面１２Ｂとの間の領域は、ドライブ装置の回転スピンドル軸がディスクメディア１２を保持するためのチャッキングエリア１２Ｃとされている。なお、本実施の形態では、ディスクメディア１２の直径（外径）は略１２０ｍｍとされている。
【００４５】
一方、ディスクメディア１２を収容するケース１４は、上シェル２４と下シェル２６とを接合して略矩形の扁平容器状に構成されている。具体的には、ケース１４は、平面視で前縁部が左右略対称の円弧状に形成されると共に、後端両角隅部が斜めに切り欠かれたような形状とされており、この形状によってドライブ装置の誤装填を防止するようになっている。
【００４６】
以下、ケース１４について具体的に説明する。
【００４７】
図４に示される如く、上シェル２４は、平面視でケース１４の形状に対応した形状の天板２８と、天板２８の外縁に略沿って下方に立設された周壁３０とを備えている。天板２８の右端部には、右側の周壁３０よりも右方に張り出した上側溝壁３２が前後方向の略全長に亘り延設されている。この上側溝壁３２は、図５に示す下シェル２６の後述する下側溝壁４８と共にケース１４の右側部に前後方向に長手でかつ前方及び右方に開口するガイド溝５０を構成するようになっている。
【００４８】
また、天板２８の下面における周壁３０の内側には、底面視で円環状に形成された内壁３４が立設している。ここで、上シェル２４は、内壁３４の内側にディスクメディア１２を収容するようになっており、内壁３４の外周面は、図２に示すインナロータ２０の後述する環状壁７２が周方向に摺動可能に嵌合するガイド面とされている。
【００４９】
また、周壁３０には、上シェル２４の右側部の前後方向中央部を切り欠いた切欠き部３０Ａが設けられており、この切欠き部３０Ａが下シェル２６の後述する切欠き部４４Ａと共に、インナロータ２０を外部（ガイド溝５０）に露出させるシャッター操作窓５２を構成するようになっている。
【００５０】
さらに、天板２８の下面における右前角隅部からは、図２に示すロック部材２２を揺動可能に軸支するロック支軸３６が突設されている。このロック支軸３６は周壁３０と内壁３４との間に位置しており、ロック支軸３６の後方でかつ切欠き部３０Ａの前方には、周壁３０を切り欠いて切欠き部３０Ｂが形成されている。切欠き部３０Ｂは、下シェル２６の後述する切欠き部４４Ｂと共に、ロック部材２２の解除操作部８８をガイド溝５０に突出させるためのロック解除窓５４を構成するようになっている。
【００５１】
また、天板２８の下面における前側中央部には、周壁３０から連続して周壁３０よりも若干低くなった台座１０２が立設しており、内壁３４の外周面との間に、インナロータ２０が配置可能な所定の距離を設けている。この台座１０２の右端部の内壁３４側には第１ストッパ３８が環状壁７２の周方向に沿って突出しており、インナロータ２０の閉塞側の回動規制用とされている。
【００５２】
ここで、第１ストッパ３８の突出方向の先端面３８Ａには、直方体状の平板状のポリウレタン発泡部材１０４が接着剤或いは両面テープ等で固着されているが、これについては後述する。
【００５３】
さらに、天板２８の下面後端近傍における左右方向中央部よりも若干右側部分には、第２ストッパ４０が後側の周壁３０から連続して設けられており、インナロータ２０の開放側の回動規制用とされている。
【００５４】
一方、図２及び図５に示される如く、下シェル２６は、上シェル２４の、天板２８に略対応した形状の底板４２と、周壁３０に略対応した形状の周壁４４とを備えている。底板４２には、上記開口１６が設けられている。
【００５５】
開口１６は、ディスクメディア１２のセンタ孔１２Ａの外径より大径でかつチャッキングエリア１２Ｃの外径（記録面１２Ｂの内径）よりも若干小径とされた略円形状のハブ孔１６Ａと、ハブ孔１６Ａの左右方向に沿う中心線の前方に連設された略矩形状の記録再生ヘッド用窓部１６Ｂとで構成され、全体として前方に開口する略Ｕ字状に形成されている。
【００５６】
ここで、ハブ孔１６Ａは、上シェル２４と下シェル２６とが接合された状態で、内壁３４内に収容されたディスクメディア１２と略同軸となるように配置されている。ハブ孔１６Ａは、上記寸法とされることで、センタ孔１２Ａ及びチャッキングエリア１２Ｃのみを外部に露出し、記録面１２Ｂを外部に露出しない構成とされている。
【００５７】
また、記録面１２Ｂを露出するための記録再生ヘッド用窓部１６Ｂは、その左縁がハブ孔１６Ａの前後方向に沿う接線よりも左方に位置するように拡幅されており、その前部は周壁４４をも切り欠いて下シェル２６の前方にも開口している。
【００５８】
ハブ孔１６Ａには、ドライブ装置の回転スピンドル軸が進入してディスクメディア１２のセンタ孔１２Ａを係合保持しつつ該ディスクメディア１２を回転駆動するようになっており、記録再生ヘッド用窓部１６Ｂには、ドライブ装置の記録再生ヘッドが進入してディスクメディア１２の記録面１２Ｂに対する情報の記録または再生を行なうようになっている。
【００５９】
そして、記録再生ヘッド用窓部１６Ｂが前方にも開口していることによって、記録再生ヘッドが記録面１２Ｂの外周部まで容易にアクセスすることができるようになっている。なお、ハブ孔１６Ａと記録再生ヘッド用窓部１６Ｂとは、互いに独立して設けられても良い。
【００６０】
この底板４２における記録再生ヘッド用窓部１６Ｂの左右両縁部の前端近傍には、それぞれ前端が周壁４４に連続する防塵リブ４６が立設されている。各防塵リブ４６は、その高さがシャッター部材１８の厚みと同等とされており、それぞれの上面をインナロータ２０が摺動するようになっている。
【００６１】
また、各防塵リブ４６の後端部は、開口１６を閉塞しているシャッター部材１８にそれぞれ接触するように、それぞれの位置が決められている。ここで、左側の防塵リブ４６の前端左側上面には、第３ストッパ１０６が前側の周壁４４から連続して立設されており、インナロータ２０の閉塞側の回動規制用とされているが、これについては後述する。
【００６２】
また、底板４２の右端部には、右側の周壁４４よりも右方に張り出した下側溝壁４８が前後方向の略全長に亘り延設されている。この下側溝壁４８が図４に示す上シェル２４の上側溝壁３２と対向して、ケース１４の右側部にガイド溝５０が形成される構成である。
【００６３】
このガイド溝５０は、上シェル２４と下シェル２６との接合によって互いに上下端面を突き当てられた周壁３０、４４の溝底とされており、上記の通りケース１４の前後方向に長手でかつ前方及び右方に開口すると共に本実施の形態では後方にも開口している。
【００６４】
さらに、下シェル２６の右側部における周壁４４には、周壁３０の切欠き部３０Ａに対応して形成された切欠き部４４Ａと、切欠き部３０Ｂに対応して形成された切欠き部４４Ｂとが設けられている。
【００６５】
これにより、上シェル２４と下シェル２６とを接合したケース１４には、ガイド溝５０の溝底における長手方向中央部で開口するシャッター操作窓５２と、シャッター操作窓５２の前方でガイド溝５０の溝底に開口するロック解除窓５４とが形成される構成である。
【００６６】
また、底板４２における開口１６を挟む左右両側には、それぞれカム突起５６が突設されている。一対のカム突起５６は、ハブ孔１６Ａの軸心、より正確にはインナロータ２０の回転中心に対し互いに対称となる位置に配置されている。
【００６７】
これらのカム突起５６は、それぞれ異なるシャッター部材１８のカム溝６６（後述）に入り込んで該カム溝６６と共に確動カムを構成し、ケース１４とインナロータ２０との相対回転によってシャッター部材１８を開口１６の閉塞位置と開放位置との間で移動させるようになっている。
【００６８】
以上説明した下シェル２６は、周壁４４の上端面を周壁３０の下端面に突き当てた状態で、ビス止めによって上シェル２４に接合されてケース１４を構成している。なお、上シェル２４と下シェル２６とは、ビス止めに代えて、例えば周壁３０、４４を超音波溶着等によって接合しても良い。
【００６９】
一方、図３に示される如く、一対のシャッター部材１８は、それぞれ略半円平板状に形成されており、互いの弦部である突合せ部６０、６２を突き合せて、下シェル２６に形成された開口１６の一部を閉塞可能とされている。
【００７０】
すなわち、一対のシャッター部材１８は、互いの突合せ部６０、６２を突き合せてハブ孔１６Ａ及び記録再生ヘッド用窓部１６Ｂの前端近傍の一部を除く部分を閉塞する閉塞位置（図８参照）と、各突合せ部６０、６２を開口１６の左右の縁部に略一致させて開口１６を開放する開放位置（図１０参照）とを取り得るように形成されている。
【００７１】
ここで、閉塞位置に配置された一対のシャッター部材１８は、互いの突合せ部６０、６２を上下に重ね合わせてケース１４内への塵芥の侵入を確実に阻止するようになっている。
【００７２】
具体的には、各シャッター部材１８の突合せ部６０、６２には段部６３が形成されており、該段部６３を境にして長手方向一方側には上面に沿った薄肉部である庇部６５が形成されると共に、他方側には下面に沿った薄肉部である庇部６７が形成されている。
【００７３】
そして、一対のシャッター部材１８が閉塞位置に配置されたときには、一方のシャッター部材１８の庇部６５の下側に他方のシャッター部材１８の庇部６７が重ね合わされると共に、一方のシャッター部材１８の庇部６７の上側に他方のシャッター部材１８の庇部６５が重ね合わされるようになっている。ここで、各庇部６５、６７の相手方との重ね合わせ面は、該相手方を誘い込むように緩やかな傾斜面とされている。
【００７４】
一方、各シャッター部材１８の弦部の長手方向一端部近傍には、それぞれ軸孔６４が設けられており、各軸孔６４はシャッター部材１８のインナロータ２０への軸支用とされている。また、各シャッター部材１８には、下シェル２６に形成されたカム突起５６が入り込むカム溝６６がそれぞれ設けられている。各カム溝６６は、それぞれのシャッター部材１８における軸孔６４の軸心を通る直線方向に長手の直線スリット状に形成されており、かつ組付状態で互いに平行となるように設けられている。
【００７５】
すなわち、各カム溝６６は、各カム突起５６と同様に、インナロータ２０の回転中心に対し互いに対称となるように設けられている。また、各カム溝６６は、シャッター部材１８を板厚方向に貫通しており、カム突起５６との係合深さを確保するようになっている。
【００７６】
さらに、少なくとも一方のシャッター部材１８には、弧部から張り出した防塵部６８が設けられている。この防塵部６８は、該一方のシャッター部材１８が閉塞位置に配置されたとき、開口１６の右縁側に位置する防塵リブ４６の後端面に当接し底板４２の上面とインナロータ２０の円板部７０（後述）の下面との隙間を埋めるようになっている（図８参照）。
【００７７】
また、この一方のシャッター部材１８における軸孔６４近傍の端部が、閉塞位置に配置されたときに他方の防塵リブ４６の後端面に当接し、底板４２上面と円板部７０下面との隙間を埋めるようになっている。なお、防塵部６８は、各シャッター部材１８にそれぞれ設けても良い。
【００７８】
一方、図２及び図３に示される如く、インナロータ２０は、円板状に形成された円板部７０と、円板部７０の外周に沿って上方に立設された環状壁７２とを備えている。また、円板部７０には、開口１６とほぼ同じ形状の開口７４が設けられており、開口７４は、その円板部７０の外周側の端部において、環状壁７２の下部を下シェル２６の周壁４４の高さに相当する分だけ切り欠いてインナロータ２０の径方向外側にも開口している。
【００７９】
このインナロータ２０は、上記の通り上シェル２４の内壁３４に周方向に摺動可能に外嵌し、ケース１４に対しディスクメディア１２とは独立して回転可能に支持される構成である。そして、インナロータ２０は、この回転（回動）によって、ケース１４の底板４２との間に配置される一対のシャッター部材１８を、これらの間で摺動させつつ閉塞位置と開放位置との間を移動させるようになっている。
【００８０】
また、円板部７０の下面におけるインナロータ２０の回転中心に対し対称となる２箇所からはそれぞれ支持突起７６が突設されており、各支持突起７６にはそれぞれ異なるシャッター部材の軸孔６４が回転自在に嵌合している。
【００８１】
すなわち、各シャッター部材１８は、インナロータ２０にそれぞれの支持突起７６廻りに回動自在に軸支されており、それぞれの支持突起７６廻りに回動して閉塞位置と開放位置とを取り得るようになっている。
【００８２】
上記の如く各シャッター部材１８のカム溝６６にケース１４のカム突起５６が入り込んでそれぞれ確動カムを構成し、ケース１４に対するインナロータ２０の相対回転によって、一対のシャッター部材１８が閉塞位置と開放位置との間で駆動されるようになっている。
【００８３】
具体的には、図８に示される如く、一対のシャッター部材１８が閉塞位置に配置されると、インナロータ２０は、その開口７４が開口１６に対し左側に所定角度（略５０°乃至６０°）ずれた位置に回転しており、その円板部７０及び環状壁７２によって開口１６の前部（シャッター部材１８によって閉塞されない部分）を内側から閉塞している。このとき、各カム突起５６がそれぞれカム溝６６の軸孔６４から遠い方の端部に入り込んでいる。
【００８４】
この状態から図９に示される如くインナロータ２０をケース１４に対し矢印Ｄ方向に回動させると、各シャッター部材１８は、それぞれのカム溝６６の溝壁がカム突起５６によって矢印Ｄとは略反対向きの矢印Ｅ方向に押圧され、それぞれの支持突起７６廻りに互いに離間する方向に回動する構成である。
【００８５】
そして、図１０に示される如く、インナロータ２０が開口７４をケース１４の開口１６と一致させる位置まで回動すると、各シャッター部材１８の突合せ部６０、６２が開口１６、７４の左右の縁部に略一致して配置され、開口１６が完全に開放される（各シャッター部材１８が開放位置に至る）構成である。この状態では、各カム突起５６がそれぞれカム溝６６の軸孔６４から近い方の端部に入り込んでいる。
【００８６】
一方、この開口１６の開放状態からインナロータ２０を矢印Ｄとは反対向きの矢印Ｆ方向に回動すると、上記の動作とは逆の動作によって、一対のシャッター部材１８が閉塞位置（図８に示す状態）に復帰するようになっている。
【００８７】
これらの図８乃至図１０から判るように、一対のシャッター部材１８は、ケース１４に対してはインナロータ２０の回動に伴う回動と該インナロータ２０に対する支持突起７６廻りの回動とを重ね合わせた運動を行なうが、シャッター部材１８同士で見ると、互いの突合せ部６０、６２（互いのカム溝６６）を平行に維持したまま互いに接離する構成とされている。
【００８８】
ここで、図６乃至図８に示される如く、インナロータ２０の環状壁７２の外周部における周方向の一部には、被駆動ギヤ部７８が径方向外側に突出して設けられている。被駆動ギヤ部７８は、その一部がシャッター操作窓５２からガイド溝５０内へ突出している。
【００８９】
そして、被駆動ギヤ部７８は、上記シャッター部材１８を閉塞位置と開放位置との間で移動させるインナロータ２０の回動範囲において、該ガイド溝５０内を長手方向に移動するドライブ装置側の開閉部材である駆動ラック１００が、常に噛み合い可能となる範囲に設けられている。本実施の形態では、シャッター部材１８を閉塞位置に配置させたときに、ロック部材２２の後述する係合部８６が係合（噛み合い）可能な範囲まで、被駆動ギヤ部７８が設けられている。
【００９０】
これにより、駆動ラック１００がガイド溝５０内をケース１４に対し後方に移動すると、インナロータ２０が矢印Ｄ方向に回動して開口１６が開放され、駆動ラック１００がガイド溝５０内をケース１４に対し前方に移動すると、インナロータ２０が矢印Ｆ方向に回動して開口１６が閉塞される構成とされている。
【００９１】
また、図６に示される如く、環状壁７２から外側に突出した被駆動ギヤ部７８における矢印Ｆ側には、閉塞側ストッパ体８０が環状壁７２の外周面から径方向外側に突設している。この閉塞側ストッパ体８０には、周方向に沿って段部８０Ｂ（突起部）が設けられており、上部側の方が周方向に沿って長くなり、先端部には、ストッパ部８０Ａが設けられている。
【００９２】
そして、図８及び図１１に示される如く、シャッター部材１８を閉塞位置に配置させたとき、閉塞側ストッパ体８０の上部側の先端に位置するストッパ部８０Ａが下シェル２６の第３ストッパ１０６と当接し、インナロータ２０が閉塞位置を超えて矢印Ｆ方向に回動することを防止するようになっている。
【００９３】
また、閉塞側ストッパ体８０のストッパ部８０Ａが下シェル２６の第３ストッパ１０６と当接するとき、図１２に示す（なお、図１１において、ロック部材２２の図示を省略している）段部８０Ｂが上シェル２４の第１ストッパ３８の先端面３８Ａに固着されたポリウレタン発泡部材１０４と当接する（図１３（Ｂ）参照）。
【００９４】
一方、図６に示される如く、環状壁７２の外面における被駆動ギヤ部７８に対し矢印Ｄ側に所定距離（角度）だけ離間した位置からは、開放側ストッパ部８２が突設されている。開放側ストッパ部８２は、図１０に示される如く、シャッター部材１８を開放位置に配置させたとき、ケース１４の第２ストッパ４０と当接し、インナロータ２０が開放位置を超えて矢印Ｄ方向に回動することを防止するようになっている。
【００９５】
ところで、ロック部材２２は、平面視で略「へ」字状乃至略「く」字状に形成された本体部８４を備えている。本体部８４は、その屈曲部近傍においてケース１４のロック支軸３６に嵌合されており、ケース１４に対し該ロック支軸３６廻りの揺動可能に支持されている。
【００９６】
本体部８４の一端部は、インナロータ２０の被駆動ギヤ部７８に噛み合い可能な係合部８６とされており、ロック部材２２は、係合部８６が被駆動ギヤ部７８に噛み合った状態でインナロータ２０のケース１４に対する回動を阻止する構成である。
【００９７】
また、本体部８４の他端部は、該本体部８４のロック支軸３６廻りの回動に伴ってロック解除窓５４からガイド溝５０に対し進退する解除操作部８８とされている。ロック部材２２は、係合部８６が被駆動ギヤ部７８に噛み合った状態で解除操作部８８をガイド溝５０内へ突出させるようになっており、ガイド溝５０内を後方に移動する駆動ラック１００によって解除操作部８８が後方へ押圧されると、本体部８４が矢印Ｇ方向に揺動して係合部８６の被駆動ギヤ部７８との噛み合いを解除する構成である（図９参照）。
【００９８】
さらに、本体部８４の屈曲部近傍からは、その係合部８６側部分の前側に並行するように板ばね部９０が延設されている。板ばね部９０は、本体部８４に近接する方向に弾性変形した状態でケース１４の前側の周壁３０に当接しており、本体部８４を矢印Ｇとは反対方向に常に付勢するようになっている。この板ばね部９０の付勢力によって、ロック部材２２は係合部８６と被駆動ギヤ部７８との噛み合いを維持するようになっている。
【００９９】
これにより、不使用時には、インナロータ２０の回動が阻止され、一対のシャッター部材１８による開口１６の閉塞状態が維持される構成である。また、上記の如き駆動ラック１００によるロック解除状態から解除操作部８８と駆動ラック１００との係合が解除されると、ロック部材２２は、板ばね部９０の付勢力によって係合部８６を被駆動ギヤ部７８に噛み合わせるロック状態に復帰するようになっている。
【０１００】
次に、上記構成によるディスクカートリッジ１０の作用について説明する。
【０１０１】
このディスクカートリッジ１０では、図８に示される如く、保管時や運搬時等の不使用時には一対のシャッター部材１８が閉塞位置に配置されて開口１６を閉塞している。この状態でロック部材２２の係合部８６がインナロータ２０の被駆動ギヤ部７８に係合し、該インナロータ２０の矢印Ｄ方向への回動が阻止されており、一対のシャッター部材１８が閉塞位置に保持されている。すなわち、開口１６の閉塞状態が維持されている。
【０１０２】
また、ディスクカートリッジ１０を使用する際、すなわちディスクメディア１２に情報を記録する際またはディスクメディア１２に記録された情報を再生する際には、ディスクカートリッジを矢印Ａ方向に沿ってドライブ装置に装填する。この装填動作（ディスクカートリッジ１０とドライブ装置との相対移動）に伴って、ドライブ装置の駆動ラック１００がケース１４のガイド溝５０に入り込み、該ガイド溝５０内を相対的に後方へ移動する。
【０１０３】
これにより、図９に示される如く、ロック部材２２の解除操作部８８が駆動ラック１００によって押圧され、ロック部材２２は、板ばね部９０の付勢力に抗して本体部８４が矢印Ｇ方向に揺動する。
【０１０４】
このため、係合部８６の被駆動ギヤ部７８との係合状態が解除され、インナロータ２０が回動可能状態となる。駆動ラック１００が解除操作部８８との当接状態を維持しつつさらに後方へ移動すると、該駆動ラック１００は被駆動ギヤ部７８と噛み合いながらインナロータ２０を矢印Ｄ方向に回動させる。
【０１０５】
このインナロータ２０の矢印Ｄ方向への回動によって、一対のシャッター部材１８が矢印Ｄ方向の回動に追従しつつ、カム溝６６の溝壁がケース１４のカム突起５６に押圧されて支持突起７６廻りに矢印Ｅにも回動する。
【０１０６】
すなわち、一対のシャッター部材１８が開口１６の開放方向にそれぞれ移動する。そして、ディスクカートリッジ１０が所定深さまでドライブ装置に装填され駆動ラック１００との相対移動がなくなると、図１０に示される如く、一対のシャッター部材１８は開放位置に至り、開口１６が完全に開放される。
【０１０７】
この状態からインナロータ２０をさらに矢印Ｄ方向に回動しようとすると、該インナロータ２０の開放側ストッパ部８２がケース１４の第２ストッパ４０に当接し、インナロータ２０の開放位置を超えた矢印Ｄ側への回動が阻止される。
【０１０８】
次いで、ドライブ装置内ではディスクカートリッジ１０が位置決めされ、この位置決め状態で開口１６のハブ孔１６Ａからはドライブ装置の回転スピンドル軸が進入し、該回転スピンドル軸がディスクメディア１２のセンタ孔１２Ａ（及びチャッキングエリア１２Ｃ）に係合して該ディスクメディア１２を保持する。そして、回転スピンドル軸が回転すると、ディスクメディア１２がケース１４内で非接触で回転駆動される。
【０１０９】
また、開口１６の記録再生ヘッド用窓部１６Ｂからはドライブ装置の記録再生ヘッドが進入する。この記録再生ヘッドによって、ディスクメディア１２の記録面１２Ｂに情報が記録され、または記録面１２Ｂに記録された情報が再生される（ディスクメディア１２が使用される）。
【０１１０】
ディスクメディア１２の使用後には、ディスクカートリッジ１０がドライブ装置から排出される。この排出動作に伴って、駆動ラック１００がガイド溝５０内を相対的に前方へ移動する。この駆動ラック１００の移動によってインナロータ２０が矢印Ｆ方向へ回動し、一対のシャッター部材１８が閉塞側へ移動する（図９参照）。
【０１１１】
駆動ラック１００が前方へ移動してロック部材２２の解除操作部８８との係合状態が解除されると、ロック部材２２の本体部８４は板ばね部９０の付勢力によって矢印Ｇとは反対方向に揺動し、図８に示される如く、係合部８６が被駆動ギヤ部７８に係合する。
【０１１２】
これにより、インナロータ２０の回動が阻止され、一対のシャッター部材１８が閉塞位置に保持される初期状態に復帰する。この状態でディスクカートリッジ１０はドライブ装置から完全に排出される。
【０１１３】
この状態からインナロータ２０をさらに矢印Ｆ方向に回動しようとすると、図１１に示される如く、該インナロータ２０の閉塞側ストッパ体８０のストッパ部８０Ａが下シェル２６の第３ストッパ１０６に当接して、インナロータ２０の閉塞位置を超えた矢印Ｆ側への回動が阻止される。
【０１１４】
次に、本形態に係るディスクカートリッジの要旨について説明する。
【０１１５】
図１２及び図１３（Ａ）に示される如く、上シェル２４の第１ストッパ３８の先端面３８Ａに、接着剤を介して直方体状のポリウレタン発泡部材１０４を固着している。そして、図８に示される如く、開口１６が完全に閉塞され、ロック部材２２の係合部８６がインナロータ２０の被駆動ギヤ部７８に係合した状態（ロック状態）で、ポリウレタン発泡部材１０４に、インナロータ２０の閉塞側ストッパ体８０の段部８０Ｂを当接させ、ポリウレタン発泡部材１０４を押圧し、ポリウレタン発泡部材１０４に弾性力を蓄積させるようにしている（図１３（Ｂ）参照）。
【０１１６】
この状態で、ロック部材２２のロック状態を解除すると、図１３（Ａ）に示すように、ポリウレタン発泡部材１０４が復元し、閉塞側ストッパ体８０を介して、インナロータ２０を開口１６が開放する方向（矢印Ｄ方向）へ付勢する。これにより、インナロータ２０が開口１６を開放させる方向へ回転する。
【０１１７】
このように、開口１６を開放させる際に、ポリウレタン発泡部材１０４の弾性力によってインナロータ２０を開口１６が開放する方向へ付勢することで、開口１６を開放させる際のインナロータ２０の回転動作をスムーズにすることができる。
【０１１８】
すなわち、ロック状態において、閉塞側ストッパ体８０の段部８０Ｂがポリウレタン発泡部材１０４に当接した状態で、ポリウレタン発泡部材１０４に弾性力を蓄積させ、ロック部材２２のロック状態を解除すると、ポリウレタン発泡部材１０４の復元力によって、インナロータ２０を開口１６が開放する方向へ付勢し、回転させるようにする。
【０１１９】
動摩擦係数と比較して静摩擦係数は大きいため、インナロータ２０が回転する際、その初動において、回転動作が不安定となるが、ポリウレタン発泡部材１０４によって、開口１６が開放される瞬間に、開口１６が開放する方向へインナロータ２０を付勢することで、開口１６を開放させる際に、インナロータ２０の回転動作を安定させ、インナロータ２０をスムーズに回転させることができる。
【０１２０】
また、開口１６が開放される瞬間のみインナロータ２０を付勢するようにすることで、ポリウレタン発泡部材１０４をインナロータ２０の移動に追従させなくても良くなるため、ポリウレタン発泡部材１０４に蓄積させる弾性力は小さくて済む。このため、ポリウレタン発泡部材１０４の大きさもインナロータ２０の移動に追従させる場合と比較して小さくすることができ、その分コストを安くすることができる。
【０１２１】
なお、ここでは、上シェル２４の第１ストッパ３８の先端面３８Ａに、接着剤を介して直方体状のポリウレタン発泡部材１０４を固着したが、図示はしないが、下シェル２６の第３ストッパ１０６の端面（閉塞側ストッパ体８０のストッパ部８０Ａが当接する部分）に、該ポリウレタン発泡部材１０４を固着しても良いし、また、第１ストッパ３８及び第３ストッパ１０６の端面にそれぞれポリウレタン発泡部材１０４を固着しても良い。
【０１２２】
また、ここでは、第１ストッパ３８の先端面３８Ａにポリウレタン発泡部材１０４を接着剤等で固着させたが、これに限るものではない。例えば、図１４に示される如く、上シェル２４のポリウレタン発泡部材１０５を固定する箇所に、予め、ポリウレタン発泡部材１０５の下部が嵌合可能な凹部１１４を凹設し、凹部１１４内にポリウレタン発泡部材１０５を嵌め込み、第１ストッパ３８の先端面３８Ａにポリウレタン発泡部材１０５を固定しても良い。
【０１２３】
ここで、ポリウレタン発泡部材１０５の下部には、嵌合部１０５Ａを形成すると共に、凹部１１４にも嵌合部１０５Ａが嵌合可能な被嵌合部１１４Ａを形成し、ポリウレタン発泡部材１０５がずれないようにしている。
【０１２４】
このように、上シェル２４に凹部１１４を凹設し、この凹部１１４内にポリウレタン発泡部材１０５を嵌め込むようにすることで、接着剤又は両面テープ等を用いた場合と比較して、ポリウレタン発泡部材１０５を容易に第１ストッパ３８に取り付けることができ、作業性が良い。
【０１２５】
さらに、本形態では、第１ストッパ３８の先端面３８Ａにポリウレタン発泡部材１０４を固着させたが、インナロータ２０の閉塞側ストッパ体８０が当接した状態で、弾性力を蓄積することができれば良いため、これに限るものではない。例えば、天然ゴムなどのゴム部材を用いても良いし、コイルスプリング等を用いても良い。
【０１２６】
ここで、コイルスプリングを用いる場合、図１５に示される如く（コイルスプリング１０８を配設するスペースを確保しなければならないため、ここでは下シェル２６側に設けているが、上シェル２４側にコイルスプリング１０８を配設しても良いのは勿論のことである。）、第３ストッパ１０６にスプリング収容部１１０を設け、コイルスプリング１０８を配設する。
【０１２７】
このコイルスプリング１０８の一端部は、スプリング収容部１１０の奥壁に当接させ、コイルスプリング１０８の他端部には、平面視にて略Ｔ字状のピン１１２を取り付ける。ピン１１２の首部１１２Ａをスプリング収容部１１０から露出させ、スプリング収容部１１０の入口を狭くして、ピン１１２の頭部１１２Ｂを入口周縁部に当接させて、ピン１１２が抜け出す方向へ移動規制されるようにする。
【０１２８】
これにより、図８に示すロック部材２２のロック状態で、インナロータ２０の閉塞側ストッパ体８０のストッパ部８０Ａがピン１１２に当接すると、コイルスプリング１０８が押し縮められ、弾性力が蓄積される。そして、該ロック状態が解除されると、コイルスプリング１０８の復元力によってピン１１２及びストッパ部８０Ａを介して、インナロータ２０を、開口１６を開放させる方向へ回転させることができる。
【０１２９】
このように、コイルスプリング１０８を用いた場合でも、開口１６が開放される瞬間のみインナロータ２０を付勢するようにすることで、長いコイルスプリングを用いる必要はないため、長いコイルスプリングを用いた場合と比較して、コイルスプリング同士が絡み難くなり、組立て作業性は良くなる。
【０１３０】
また、ここでは、図８及び図１２に示される如く、上シェル２４の第１ストッパ３８の先端面３８Ａにポリウレタン発泡部材１０４を固着し、開口１６が完全に閉塞されロック部材２２によるロック状態で、ポリウレタン発泡部材１０４に弾性力を蓄積させ、ロック状態を解除すると共に、インナロータ２０を開口１６が開放する方向へのみ付勢するようにしているが、上シェル２４の第２ストッパ４０にポリウレタン発泡部材を固着して、開口１６を閉塞させる瞬間にも、インナロータ２０を付勢するようにしても良い。
【０１３１】
さらに、上記の実施の形態では、一対のシャッター部材１８がインナロータ２０に支持されて該インナロータ２０の回動に伴って互いに平行に移動しつつ開口１６を開閉する構成としたが、本発明は、それぞれ平板状に形成された一対のシャッター部材１８が端部（端面）を重ね合わせて当接することで開口１６を閉塞すれば足りるため、シャッター部材１８の形状や駆動機構等によって限定されることはない。
【０１３２】
したがって、例えば、それぞれ平面視矩形状に形成された一対のシャッター部材が開口１６の左右反対向きに移動（接離）して開口１６を開閉するようにしても良く、互いに異形のシャッター部材を異なる方向に移動させて開口１６を開閉するようにしても良い。
【０１３３】
さらにまた、上記の実施の形態では、ケース１４の下方にのみ開口１６が形成された構成としたが、本発明はこれに限定されず、例えば、上下両面に記録面１２Ｂが設けられたディスクメディアを収容するケース１４では、天板２８にも一対のシャッター部材１８にて開閉される開口１６を設けても良い。一方、下面のみに記録面１２Ｂが設けられたディスクメディア１２を収容するケース１４では、天板２８にディスクメディア１２の交換を可能とする交換用開口を設けても良い。
【０１３４】
また、上記の実施の形態では、ディスクメディア１２の直径が略１２０ｍｍである構成としたが、本発明はこれに限定されず、如何なる寸法のディスクメディア１２を備えるディスクカートリッジ１０についても本発明が適用可能であることは言うまでもない。
【図面の簡単な説明】
【０１３５】
【図１】本発明の実施の形態に係るディスクカートリッジの外観を示す斜視図である。
【図２】本発明の実施の形態に係るディスクカートリッジの分解斜視図である。
【図３】本発明の実施の形態に係るディスクカートリッジを構成するインナロータ等を下から見た分解斜視図である。
【図４】本発明の実施の形態に係るディスクカートリッジを構成する上シェルの底面図である。
【図５】本発明の実施の形態に係るディスクカートリッジを構成する下シェルの平面図である。
【図６】本発明の実施の形態に係るディスクカートリッジを構成するインナロータの底面図である。
【図７】本発明の実施の形態に係るディスクカートリッジを構成するインナロータ及びシャッター部材を下方から見た斜視図である。
【図８】本発明の実施の形態に係るディスクカートリッジの開口閉塞状態を示す下シェルを取り除いて見た底面図である。
【図９】本発明の実施の形態に係るディスクカートリッジの開口の閉塞または開放過程を示す下シェルを取り除いて見た底面図である。
【図１０】本発明の実施の形態に係るディスクカートリッジの開口開放状態を示す下シェルを取り除いて見た底面図である。
【図１１】本発明の実施の形態に係るディスクカートリッジの開口閉塞状態を示す下シェル及びインナロータを示す平面図である。
【図１２】本発明の実施の形態に係るディスクカートリッジの開口閉塞状態のインナロータと上シェルの要部を示す分解斜視図である。
【図１３】本発明の実施の形態に係るディスクカートリッジの開口閉塞状態のインナロータと上シェルの要部を示す説明図であり、（Ａ）は開口閉塞状態直前またはロック部材のロック解除後直ぐの状態を示し、（Ｂ）は開口閉塞状態を示している。
【図１４】本発明の実施の形態に係るディスクカートリッジの上シェルの要部の変形例を示す分解斜視図である。
【図１５】本発明の実施の形態に係るディスクカートリッジの下シェルの要部の変形例を示す平面図である。
【図１６】従来のディスクカートリッジを示す分解斜視図である。
【符号の説明】
【０１３６】
１０    ディスクカートリッジ
１２    ディスクメディア
１４    ケース
１６    開口（第１開口部）
１８    シャッター部材
２０    インナロータ
２２    ロック部材（ロック手段）
３８    第１ストッパ（ストッパー）
７４    開口（第２開口部）
７８    被駆動ギヤ部（ロック手段）
８０Ｂ  段部（突起部）
１０４  ポリウレタン発泡部材（弾性体、付勢手段）
１０５  ポリウレタン発泡部材（弾性体、付勢手段）
１０６  第３ストッパ（ストッパー）
１０８  コイルスプリング（スプリング部材、弾性体、付勢手段）
１１２  ピン（スプリング部材、弾性体、付勢手段）
１１４  凹部
【図１】
2005129111.tif 000003
【図２】
2005129111.tif 000004
【図３】
2005129111.tif 000005
【図４】
2005129111.tif 000006
【図５】
2005129111.tif 000007
【図６】
2005129111.tif 000008
【図７】
2005129111.tif 000009
【図８】
2005129111.tif 000010
【図９】
2005129111.tif 000011
【図１０】
2005129111.tif 000012
【図１１】
2005129111.tif 000013
【図１２】
2005129111.tif 000014
【図１３】
2005129111.tif 000015
【図１４】
2005129111.tif 000016
【図１５】
2005129111.tif 000017
【図１６】
2005129111.tif 000018